(57)【要約】【課題】発炎筒を放り投げて使用する場合に発炎筒の転がりを十分に抑制することができる発炎筒を提供する。【解決手段】発炎筒本体２と、該発炎筒本体２の後端部に一端が嵌合固定され、他端が他の発炎筒本体２の先端部を嵌合連結可能な紙製円筒状の底栓部材３と、該底栓部材３の外周に形成された環状溝部８と、該環状溝部８に回転可能に装着され、放り投げた時の発炎筒本体２の転がりを抑制する紙製板状の転がり防止部材９とを備えている。【選択図】　　　　　図１
0003099131.tif 000002
【実用新案登録請求の範囲】
【請求項１】
発炎筒本体と、該発炎筒本体の後端部に一端が嵌合固定され、他端が他の発炎筒本体の先端部を嵌合連結可能な紙製円筒状の底栓部材と、該底栓部材の外周に形成された環状溝部と、該環状溝部に回転可能に装着され、放り投げた時の発炎筒本体の転がりを抑制する紙製板状の転がり防止部材とを備えたことを特徴とする。
【請求項２】
前記転がり防止部材は、前記底栓部材の外径よりも大きい内径の開口部と、該開口部の周方向に適宜間隔で設けられ、前記底栓部材の環状溝部に係合するように突設された複数の支持片部と、各支持片部の両側に設けられた第１切れ込み部とを有していることを特徴とする請求項１に記載の発炎筒。
【請求項３】
前記底栓部材の内周には、他の発炎筒本体の先端部を嵌合固定するために１つまたは複数の環状突部が外側からの絞り加工により形成されていることを特徴とする請求項１または２に記載の発炎筒。
【請求項４】
前記底栓部材の他端には、放り投げた時、路面との衝突時の衝撃を吸収するための複数の第２切れ込み部が形成されていることを特徴とする請求項１〜３のいずれかに記載の発炎筒。
【考案の詳細な説明】
【０００１】
【考案の属する技術分野】
本考案は、発炎筒に係り、特に発炎筒を緊急時に已むを得ず放り投げて使用する場合の転がりを防止できると共に、複数の発炎筒を連結して使用できる発炎筒に関するものである。
【０００２】
【従来の技術】
発炎筒としては、例えば高速道路などにおいて緊急時に放り投げて使用される場合があることから、路面上を転がり難くすることが望ましい。また、発炎筒としては、長時間使用する場合のために、複数本の発炎筒を連結して使用できるようにすることが望ましい。
【０００３】
このような要望に応える発炎筒としては、例えば実用新案登録第３０９１１８６号公報に記載されている発炎筒が知られている。この発炎筒は、発炎筒本体の下端部に中空四角柱状の筒状連結具の上半分を挿入し、接着剤等で固定してなる。この筒状連結具の外側面には、発炎筒の転がりを防止するために、帯状の突起部が設けられている。前記筒状連結具の下半分の中空部に、他の発炎筒本体の頂部（先端部）を、前記中空部内面を押し拡げるようにして嵌入することにより、発炎筒本体の底部と他の発炎筒本体の発火薬部とが接触するように連結することができる。
【０００４】
【考案が解決しようとする課題】
しかしながら、前記発炎筒においては、転がりを防止するために筒状連結具の外側面に帯状の突起部を一体的に設けているため、発炎筒の転がりを十分に抑制することが困難である。また、発炎筒を連結するのに、筒状連結具の下半分の中空部に、他の発炎筒本体の頂部を、前記中空部内面を押し拡げるようにして嵌入しなければならないため、連結に手間がかかるという問題がある。また、発炎筒を放り投げた場合、路面との衝突時の衝撃吸収が構造上十分でないため、跳ね返りやすいという問題もある。
【０００５】
そこで、本考案は、上記事情を考慮してなされたもので、発炎筒を放り投げて使用する場合に発炎筒の転がりを十分に抑制することができる発炎筒を提供することを目的とする。また、本発明の他の目的は、発炎筒を連結して使用する場合に容易に連結することができる発炎筒を提供することにある。また、本発明の他の目的は、発炎筒を放り投げて使用する場合に跳ね返りを抑制することができる発炎筒を提供することにある。
【０００６】
【課題を解決するための手段】
上記目的を達成するために、請求項１の考案は、発炎筒本体と、該発炎筒本体の後端部に一端が嵌合固定され、他端が他の発炎筒本体の先端部を嵌合連結可能な紙製円筒状の底栓部材と、該底栓部材の外周に形成された環状溝部と、該環状溝部に回転可能に装着され、放り投げた時の発炎筒本体の転がりを抑制する紙製板状の転がり防止部材とを備えたことを特徴とする。
【０００７】
請求項２の考案は、請求項１に記載の発炎筒において、前記転がり防止部材は、前記底栓部材の外径よりも大きい内径の開口部と、該開口部の周方向に適宜間隔で設けられ、前記底栓部材の環状溝部に係合するように突設された複数の支持片部と、各支持片部の両側に設けられた第１切れ込み部とを有していることを特徴とする。
【０００８】
請求項３の考案は、請求項１または２に記載の発炎筒において、前記底栓部材の内周には、他の発炎筒本体の先端部を嵌合固定するために１つまたは複数の環状突部が外側からの絞り加工により形成されていることを特徴とする。
【０００９】
請求項４の考案は、請求項１〜３のいずれかに記載の発炎筒において、前記底栓部材の他端には、放り投げた時、路面との衝突時の衝撃を吸収するための複数の第２切れ込み部が形成されていることを特徴とする。
【００１０】
【考案の実施の形態】
以下、本考案の好適実施の形態を添付図面に基づいて詳述する。図１は本考案の実施の形態である発炎筒を示す側面図、図２は同発炎筒の底栓部材を示す一部断面側面図、図３は転がり防止部材の平面図、図４は底栓部材に転がり防止部材を装着した状態を示す平面図である。図５は発炎筒の他の使用形態を示す斜視図、図６は複数の発炎筒を連結した状態を示す一部断面側面図である。
【００１１】
これらの図において、１は発炎筒で、この発炎筒１は発炎筒本体２と、この発炎筒本体２の後端部に一端が嵌合固定され、他端が他の発炎筒本体２の先端部を嵌合連結可能な紙製円筒状の底栓部材３とを備えている。前記発炎筒本体２は、例えば紙製の円筒体４の先端部（頂部）に発火薬部５を設けると共に、この円筒体４内に熱硬化性樹脂例えばポリエステル樹脂を混合した発炎薬６を充填し、円筒体４の後端部を例えば熱可塑性樹脂シート（例えばポリエチレンシート）からなる塞栓（面子）７で閉塞してなる。
【００１２】
前記底栓部材３は、前記発炎筒本体２の後端部が嵌挿し得る内径を有している。この底栓部材３の上半分に発炎筒本体２の後端部が嵌挿されている。底栓部材３内の中央部への塞栓７の固定及び発炎筒本体２の後端部への底栓部材３の固定は前記発炎薬６の硬化によってなされるが、発炎筒本体２の後端部への底栓部材３の固定は接着剤によって行っても良い。
【００１３】
前記底栓部材３の長手方向略中間部の外周には図２に示すように環状溝部８が絞り加工により形成されており、この環状溝部８には発炎筒１を放り投げて使用するとき、転がりを抑制するための紙製板状の転がり防止部材９が回転可能に装着されている。この転がり防止部材９は、図３ないし図４に示すように底栓部材３の直径よりも約２倍程度大きい平面正方形に形成されており、その中央部には底栓部材３の外径よりも大きい内径の円形の開口部１０が形成されている。この開口部１０には前記底栓部材３の環状溝部８に係合するように複数例えば４つの支持片部１１が周方向に適宜間隔で形成され、各支持片部１１の両側には第１切れ込み部１２が設けられている。
【００１４】
前記支持片部１１の内縁部は前記開口部１０の縁部よりも径方向内方に突出している。前記支持片部１１の内縁部は前記底栓部材３の環状溝部８に回転可能に摺接するように円弧状に形成され、各支持片部１１の両側部に第１切れ込み部１２を設けられている。これにより底栓部材３の環状溝部８に底栓部材３の一端から転がり防止部材９を嵌合装着する際に転がり防止部材９を容易に且つ確実に装着することができるようになっている。
【００１５】
前記底栓部材３の下半分の環状溝部８寄りの内周には、図２ないし図６に示すように他の発炎筒１の発炎筒本体２の先端部を嵌合固定するために１つまたは複数例えば３〜５つの環状突部（環状リブ）１３が外側（外周）からの絞り加工により形成されている。前記環状突部１３の内径は発炎筒本体２の外径よりも若干小さく形成されていることにより底栓部材３に他の発炎筒１の発炎筒本体２の先端部を強固に嵌合させて連結固定することができる。そして、この連結状態で、一方の発炎筒１の発炎筒本体２後端部に塞栓７を介して他方の発炎筒１の発炎筒本体２先端部の発火薬部５が接触した状態となり、この塞栓７は熱可塑性樹脂シートを使用しているため、発炎薬６の燃焼によって容易に溶解し、他方の発炎筒本体２の先端部に円滑に伝火させることができるようになっている。
【００１６】
前記底栓部材３の他端には、放り投げた時の衝撃を吸収するための複数例えば４本の第２切れ込み部１４が形成されている。この場合、図５に示すように底栓部材３の他端には左右（両側部）に第２切れ込み部１４が一対ずつ軸方向に沿って内周の環状突部１３の近傍まで形成されており、これにより一対の第２切れ込み部１４間に形成される舌片部１５を径方向外方へ開いて折り曲げることにより、置いて使用する場合は、転がり防止部材９を装着していなくても、使用上十分な転がり防止機能を有する。以上の構成からなる発炎筒１においては、発炎筒本体２の先端部に発火薬部５を覆う図示しないキャップが着脱可能に取付けられていることが好ましい。
【００１７】
以上の構成からなる発炎筒１によれば、発炎筒本体２と、該発炎筒本体２の後端部に一端が嵌合固定され、他端が他の発炎筒本体２の先端部を嵌合連結可能な紙製円筒状の底栓部材３と、該底栓部材３の外周に形成された環状溝部８と、該環状溝部８に回転可能に装着され、放り投げた時の発炎筒本体２の転がりを抑制する紙製板状の転がり防止部材９とを備えているため、発炎筒１を放り投げて使用する場合、転がり防止部材９の一辺が着地するとこの転がり防止部材９に対して発炎筒本体２を含む底栓部材３が回転し、その回転力が抑制され、発炎筒１の転がりを十分に抑制することができる。
【００１８】
また、前記転がり防止部材９は、前記底栓部材３の外径よりも大きい内径の開口部１０と、該開口部１０の周方向に適宜間隔で設けられ、前記底栓部材３の環状溝部８に係合するように突設された複数の支持片部１１と、各支持片部１１の両側に設けられた第１切れ込み部１２とを有しているため、底栓部材３に転がり防止部材９を容易に且つ回転可能に確実に取付けることができ、組立性の向上が図れる。更に、前記底栓部材３の下半分の内周には、他の発炎筒本体２の先端部を嵌合固定するために１つまたは複数の環状突部１３が外側からの絞り加工により形成されているため、複数の発炎筒１を連結して使用する場合に容易に且つ確実に連結することができる。
【００１９】
また、前記底栓部材３の他端には、放り投げた時の衝撃を吸収するための複数の第２切れ込み部１４が形成されているため、発炎筒１を放り投げて使用する場合に発炎筒１の跳ね返りを抑制ないし防止することができ、安全性の向上が図れる。更に、この場合、図５に示すように底栓部材３の他端の両側部に第２切れ込み部１４を一対ずつ軸方向に沿って内周の環状突部１３の近傍まで形成し、一対の第２切れ込み部１４間に形成される舌片部１５を径方向外方へ開いて折り曲げるようにすれば、転がり防止機能をもたせることができ、置いて使用する場合は、転がり防止部材９を装着していなくても、使用上十分な転がり防止機能を有している。
【００２０】
以上、本発明の実施の形態を図面により詳述してきたが、本発明は前記実施の形態に限定されるものではなく、本発明の要旨を逸脱しない範囲での種々の設計変更等が可能である。
【００２１】
【考案の効果】
以上要するに本考案によれば、次のような効果を奏することができる。
【００２２】
（１）請求項１の考案によれば、発炎筒本体と、該発炎筒本体の後端部に一端が嵌合固定され、他端が他の発炎筒本体の先端部を嵌合連結可能な紙製円筒状の底栓部材と、該底栓部材の外周に形成された環状溝部と、該環状溝部に回転可能に装着され、放り投げた時の発炎筒本体の転がりを抑制する紙製板状の転がり防止部材とを備えているため、発炎筒を放り投げて使用する場合に発炎筒の転がりを十分に抑制することができる。
【００２３】
（２）請求項２の考案によれば、前記転がり防止部材は、前記底栓部材の外径よりも大きい内径の開口部と、該開口部の周方向に適宜間隔で設けられ、前記底栓部材の環状溝部に係合するように突設された複数の支持片部と、各支持片部の両側に設けられた第１切れ込み部とを有しているため、底栓部材に転がり防止部材を容易に且つ回転可能に確実に取付けることができる。
【００２４】
（３）請求項３の考案によれば、前記底栓部材の内周には、他の発炎筒本体の先端部を嵌合固定するために１つまたは複数の環状突部が外側からの絞り加工により形成されているため、発炎筒を連結して使用する場合に容易に連結することができる。
【００２５】
（４）請求項４の考案によれば、前記底栓部材の他端には、放り投げた時、路面との衝突時の衝撃を吸収するための複数の第２切れ込み部が形成されているため、発炎筒を放り投げて使用する場合に跳ね返りを抑制することができる。また、切れ込み部間に形成される舌片部を径方向外方へ開いて折り曲げることにより転がり防止機能をもたせることができる。
【図面の簡単な説明】
【図１】本考案の実施の形態である発炎筒を示す側面図である。
【図２】同発炎筒の底栓部材を示す一部断面側面図である。
【図３】転がり防止部材の平面図である。
【図４】底栓部材に転がり防止部材を装着した状態を示す平面図である。
【図５】発炎筒の他の使用形態を示す斜視図である。
【図６】複数の発炎筒を連結した状態を示す一部断面側面図である。
【符号の説明】
１　発炎筒
２　発炎筒本体
３　底栓部材
８　環状溝部
９　転がり防止部材
１１　支持片部
１２　第１切れ込み部
１３　環状突部
１４　第２切れ込み部
【図１】
0003099131.tif 000003
【図２】
0003099131.tif 000004
【図３】
0003099131.tif 000005
【図４】
0003099131.tif 000006
【図５】
0003099131.tif 000007
【図６】
0003099131.tif 000008
【手続補正書】
【提出日】平成15年7月10日(2003.7.10)
【手続補正１】
【補正対象書類名】図面
【補正対象項目名】図１
【補正方法】変更
【補正の内容】
【図１】
0003099131.tif 000009